(57)【要約】【課題】画像処理時における画像処理条件を含まない画像ファイルに対して所望の画像処理条件を付加すること。【解決手段】ＣＰＵ２００は、メモリカードＭＣまたは接続ケーブルＣＶを介して受け取った画像ファイルの画像データを表示装置２０の表示画面上に表示する。ＣＰＵ２００は、入力装置２４０を介して入力された色空間パラメータ、および、色補正パラメータを反映した画像データをオリジナルの画像データと共に表示装置２０の表示画面上に表示する。ＣＰＵ２００は、設定された色空間パラメータおよび色補正パラメータの適用要求を検出すると、設定された色空間パラメータおよび色補正パラメータを画像処理制御情報として、画像ファイルに付加する。【選択図】図１
2010104011.tif 000002
【特許請求の範囲】
【請求項１】
画像処理装置における画像データの処理条件を指定する画像処理制御情報を含む画像ファイルを生成する画像ファイル生成装置であって、
入力された画像データを表示する原画像データ表示手段と、
前記画像処理装置において前記画像データに対して実行すべき画像処理条件を設定する画像処理条件設定手段と、
前記設定された画像処理条件を反映した画像データを表示する反映画像データ表示手段と、
前記表示されている反映画像データに対して設定されている画像処理条件を選択する画像処理条件選択手段と、
前記選択された画像処理条件に基づいて前記画像処理制御情報を生成する画像処理制御情報生成手段と、
前記生成された画像処理制御情報と前記画像データとを関連付けて格納する画像ファイルを生成する画像ファイル生成手段とを備える画像ファイル生成装置。
【請求項２】
請求項１に記載の画像ファイル生成装置において、
前記画像処理条件設定手段は、設定された画像処理条件を表示する画像処理条件表示手段を含む画像ファイル生成装置。
【請求項３】
請求項２に記載の画像ファイル生成装置において、
前記画像処理条件設定手段によって設定される画像処理条件は、少なくとも色空間変換処理条件、および色補正処理条件のいずれか一方を含む画像ファイル生成装置。
【請求項４】
請求項１に記載の画像ファイル生成装置はさらに、
撮像シーンに応じて、予め複数の画像処理パラメータが組み合わされたシーン別処理条件を格納する記憶装置を備え、
前記画像処理条件設定手段によって設定される画像処理条件は、前記シーン別処理条件である画像ファイル生成装置。
【請求項５】
請求項３または請求項４に記載の画像ファイル生成装置において、
前記原画像データ表示手段と前記反映画像データ表示手段は、前記画像データと、前記画像処理条件を反映させた画像データとを同一画面上に並列表示する画像ファイル生成装置。
【請求項６】
請求項５に記載の画像ファイル生成装置はさらに、
前記設定された画像処理条件を反映した前記画像データを、前記設定された画像処理条件の表示と共に印刷する印刷手段を備える画像ファイル生成装置。
【請求項７】
画像処理装置における画像データの処理条件を指定する画像処理制御情報を含む画像ファイルを生成する画像ファイル生成装置であって、
生成時の生成情報を伴う画像データを入力する画像データ入力手段と、
前記生成情報を解析する画像データ解析手段と、
前記解析の結果に基づき、前記画像処理装置における前記画像データに対する画像処理の条件を指定する画像処理制御情報を生成する画像処理制御情報生成手段と、
前記生成された画像処理制御情報と前記画像データとを関連付けて格納する画像ファイルを生成する画像ファイル生成手段とを備える画像ファイル生成装置。
【請求項８】
請求項７に記載の画像ファイル生成装置において、
前記生成情報には、前記画像データを生成した撮像装置の機種情報が含まれており、
前記画像処理制御情報は、前記機種情報と画像出力装置との組み合わせに応じて生成される画像ファイル生成装置。
【請求項９】
請求項７または請求項８に記載の画像ファイル生成装置において、
前記生成情報には、前記画像データ生成時における撮像意図を示す情報が含まれており、
前記画像処理制御情報は、前記撮像意図を示す情報に基づいて生成される画像ファイル生成装置。
【請求項１０】
請求項９に記載の画像ファイル生成装置において、
前記撮像意図を示す情報は、前記撮像装置において設定された撮像シーンである画像ファイル生成装置。
【請求項１１】
請求項７ないし請求項１０のいずれかに記載の画像ファイル生成装置において、
前記画像処理制御情報には、色空間情報と色補正情報とが含まれている画像ファイル生成装置。
【請求項１２】
請求項７ないし請求項１０のいずれかに記載の画像ファイル生成装置において、
前記画像データは、画像データ部と撮影情報を格納するＥｘｉｆデータ部とを有するＥｘｉｆデータであり、
前記生成情報は、前記Ｅｘｉｆデータ部に含まれている撮影情報である画像ファイル生成装置。
【請求項１３】
請求項７に記載の画像ファイル生成装置はさらに、
前記画像データに対して任意の画像処理条件を設定する画像処理条件設定手段を備え、
前記画像処理制御情報は、前記解析された生成情報に加えて、前記設定された画像処理条件に基づいて生成される画像ファイル生成装置。
【請求項１４】
画像ファイル生成プログラムであって、
画像データを入力する機能と、
表示装置の表示画面上に、前記入力された画像データに対する画像処理条件を設定するための画像処理条件設定領域を形成する機能と、
前記表示画面上に、前記入力された画像データを表示する原画像表示領域を形成する機能と、
前記表示画面上に、前記原画像表示領域に隣接して、前記設定された画像処理条件を反映させた画像データを表示する反映画像表示領域を形成する機能と、
前記反映画像表示領域に表示されている画像データに対する画像処理条件が選択された場合には、前記設定された画像処理条件に基づいて画像処理装置における前記画像データの処理条件を指定する画像処理制御情報を生成する機能と、
前記生成された画像処理制御情報と前記画像データとを関連付けて格納する画像ファイルを生成する機能とをコンピュータによって実現させる画像ファイル生成プログラム。
【請求項１５】
請求項１４に記載の画像ファイル生成プログラムにおいて、
前記画像処理条件として設定される条件には、色空間変換条件と色補正条件とが含まれ、
前記反映画像表示領域は、前記設定された色空間変換条件を反映する第１の反映画像表示領域と、前記設定された色補正条件を反映する第２の反映画像表示領域とを含む画像ファイル生成プログラム。
【請求項１６】
請求項１５に記載の画像ファイル生成プログラムはさらに、
前記設定された画像処理条件を反映した前記画像データを、前記設定された画像処理条件の表示と共に印刷する機能をコンピュータによって実現させる画像ファイル生成プログラム。
【請求項１７】
画像ファイル生成プログラムであって、
生成された撮像装置の機種情報、および生成時における撮像条件の少なくともいずれか一方を生成条件として含む画像データを入力する機能と、
前記生成条件を解析する機能と、
前記解析された生成条件に基づいて、画像処理装置における前記画像データに対する画像処理条件を指定する画像処理制御情報を生成する機能と、
前記生成された画像処理制御情報と前記画像データとを関連付けて格納する画像ファイルを生成する機能とをコンピュータによって実現させる画像ファイル生成プログラム。
【発明の詳細な説明】
【技術分野】
【０００１】
本発明は、既存の画像データに対して付加情報を付加して画像ファイルを生成する画像ファイル生成技術に関する。
【背景技術】
【０００２】
画像データと、画像処理装置における画像データの画像処理条件とを含む画像ファイルを生成可能な撮像装置、および、この撮像装置にて生成された画像ファイルを用いて画像処理を実行可能なプリンタが実用化されている。かかる撮像装置を用いれば、撮影時に、プリンタにおける所望の画像処理を指定することができるので、画像データを出力する際に画像処理条件を指定することなく所望の画像処理、あるいは、適切な画像処理が施された画像データを出力することができる。
【発明の概要】
【発明が解決しようとする課題】
【０００３】
しかしながら、上記の利点を得るためには、画像データと共に画像処理条件を含む画像ファイルを生成可能な撮像装置によって生成された画像ファイルを用いなければならないという問題があった。すなわち、画像データと共に画像処理条件を含む画像ファイルを生成できない撮像装置を用いて撮影した画像ファイルを用いる場合、あるいは、上記の画像ファイルを用いた画像出力システムが実用化される前に生成された画像データを用いる場合には、上記の利点を得ることができない。
【０００４】
本発明は、上記問題を解決するためになされたものであり、画像処理時における画像処理条件を含まない画像ファイルに対して所望の画像処理条件を付加することを目的とする。
【課題を解決するための手段】
【０００５】
上記課題を解決するために本発明の第１の態様は、画像処理装置における画像データの処理条件を指定する画像処理制御情報を含む画像ファイルを生成する画像ファイル生成装置を提供する。本発明の第１の態様に係る画像ファイル生成装置は、入力された画像データを表示する原画像データ表示手段と、前記画像処理装置において前記画像データに対して実行すべき画像処理条件を設定する画像処理条件設定手段と、前記設定された画像処理条件を反映した画像データを表示する反映画像データ表示手段と、前記表示されている反映画像データに対して設定されている画像処理条件を選択する画像処理条件選択手段と、前記選択された画像処理条件に基づいて前記画像処理制御情報を生成する画像処理制御情報生成手段と、前記生成された画像処理制御情報と前記画像データとを関連付けて格納する画像ファイルを生成する画像ファイル生成手段とを備えることを特徴とする。
【０００６】
本発明の第１の態様に係る画像ファイル生成装置によれば、入力された画像データと、画像データに対する画像処理制御情報とを関連付けて格納する画像ファイルを生成することができる。すなわち。画像処理時における画像処理条件を含まない画像ファイルに対して所望の画像処理条件を付加することができる。したがって、元々、画像処理制御情報を有していない画像ファイルであっても、画像処理制御情報を備えることが可能となり、画像処理制御情報を参照して画像処理を実行する画像処理装置において、画像処理条件を指定して画像処理を実行させることができる。
【０００７】
本発明の第１の態様に係る画像ファイル生成装置において、前記画像処理条件設定手段は、設定された画像処理条件を表示する画像処理条件表示手段を含んでも良い。また、前記画像処理条件設定手段によって設定される画像処理条件は、少なくとも色空間変換処理条件、および色補正処理条件のいずれか一方を含んでも良い。かかる場合には、画像処理装置において、色空間情報により、画像データを忠実に再現させることが可能となり、また、色補正情報により画像データを好みに合わせて出力させることができる。
【０００８】
本発明の第１の態様に係る画像ファイル生成装置はさらに、撮像シーンに応じて、予め複数の画像処理パラメータが組み合わされたシーン別処理条件を格納する記憶装置を備え、前記画像処理条件設定手段によって設定される画像処理条件は、前記シーン別処理条件であっても良い。かかる場合には、撮影シーンを選択することにより、簡便に画像処理条件を設定することができる。
【０００９】
本発明の第１の態様に係る画像ファイル生成装置において、前記原画像データ表示手段と前記反映画像データ表示手段は、前記画像データと、前記画像処理条件を反映させた画像データとを同一画面上に並列表示しても良い。かかる場合には、画像処理条件が反映された画像データを参照して、画像処理条件をより適切に設定することができる。
【００１０】
本発明の第１の態様に係る画像ファイル生成装置はさらに、前記設定された画像処理条件を反映した前記画像データを、前記設定された画像処理条件の表示と共に印刷する印刷手段を備えても良い。かかる場合には、出力された画像データと、画像処理条件との関係を容易に確認することができる。
【００１１】
本発明の第２の態様は、画像処理装置における画像データの処理条件を指定する画像処理制御情報を含む画像ファイルを生成する画像ファイル生成装置を提供する。本発明の第２の態様に係る画像ファイル生成装置は、生成時の生成情報を伴う画像データを入力する画像データ入力手段と、前記生成情報を解析する画像データ解析手段と、前記解析の結果に基づき、前記画像処理装置における前記画像データに対する画像処理の条件を指定する画像処理制御情報を生成する画像処理制御情報生成手段と、前記生成された画像処理制御情報と前記画像データとを関連付けて格納する画像ファイルを生成する画像ファイル生成手段とを備えることを特徴とする。
【００１２】
本発明の第２の態様に係る画像ファイル生成装置によれば、画像データの生成情報に基づいて、画像データに対する適切な画像処理制御情報を生成し、画像処理時における画像処理条件を含まない画像ファイルに対して所望の画像処理条件を付加することができる。したがって、元々、画像処理制御情報を有していない画像ファイルであっても、画像処理制御情報を備えることが可能となり、画像処理制御情報を参照して画像処理を実行する画像処理装置において、画像処理条件を指定して画像処理を実行させることができる、また、画像処理制御情報を生成するにあたり、ユーザの負担を軽減することができる。
【００１３】
本発明の第２の態様に係る画像ファイル生成装置において、前記生成情報には、前記画像データを生成した撮像装置の機種情報が含まれており、前記画像処理制御情報は、前記機種情報と画像出力装置との組み合わせに応じて生成されても良い。撮像装置の機種情報によって機種固有の画像処理制御情報を適用することができる。また、前記生成情報には、前記画像データ生成時における撮像意図を示す情報が含まれており、前記画像処理制御情報は、前記撮像意図を示す情報に基づいて生成されても良く、前記撮像意図を示す情報は、前記撮像装置において設定された撮像シーンであっても良い。撮像意図によって撮像者の意図する画像処理制御情報を生成し、画像処理装置において撮像者の意図する画像処理を実行させることができる。また、撮像意図が撮像シーンである場合には、撮像シーンに適応した画像処理を画像処理装置において実行させることができる。
【００１４】
本発明の第２の態様に係る画像ファイル生成装置において、前記画像処理制御情報には、色空間情報と色補正情報とが含まれていても良い。画像処理装置において、色空間情報により、画像データを忠実に再現させることが可能となり、また、色補正情報により画像データを好みに合わせて出力させることができる。また、前記画像データは、画像データ部と撮影情報を格納するＥｘｉｆデータ部とを有するＥｘｉｆデータであり、前記生成情報は、前記Ｅｘｉｆデータ部に含まれている撮影情報であっても良い。Ｅｘｉｆデータには、撮影条件、機種情報等が含まれているので、これら情報を利用することにより、より適切な画像処理制御情報を生成することができる。
【００１５】
本発明の第２の態様に係る画像ファイル生成装置はさらに、前記画像データに対して任意の画像処理条件を設定する画像処理条件設定手段を備え、前記画像処理制御情報は、前記解析された生成情報に加えて、前記設定された画像処理条件に基づいて生成されても良い。かかる場合には、撮像条件等に基づき生成された画像処理制御情報に変更を加え、画像処理制御情報をより適切に設定することができる。
【００１６】
本発明の第３の態様は、画像ファイル生成プログラムを提供する。本発明の第３の態様に係る画像ファイル生成プログラムは、画像データを入力する機能と、表示装置の表示画面上に、前記入力された画像データに対する画像処理条件を設定するための画像処理条件設定領域を形成する機能と、前記表示画面上に、前記入力された画像データを表示する原画像表示領域を形成する機能と、前記表示画面上に、前記原画像表示領域に隣接して、前記設定された画像処理条件を反映させた画像データを表示する反映画像表示領域を形成する機能と、前記反映画像表示領域に表示されている画像データに対する画像処理条件が選択された場合には、前記設定された画像処理条件に基づいて画像処理装置における前記画像データの処理条件を指定する画像処理制御情報を生成する機能と、前記生成された画像処理制御情報と前記画像データとを関連付けて格納する画像ファイルを生成する機能とをコンピュータによって実現させることを特徴とする。
【００１７】
本発明の第３の態様に係る画像ファイル生成プログラムによれば、原画像と反映画像とを比較しつつ、より適切な画像処理制御情報を生成することができる。また、画像処理制御情報を生成するために、有用なユーザインターフェースを表示することができる。
【００１８】
本発明の第３の態様に係る画像ファイル生成プログラムにおいて、前記画像処理条件として設定される条件には、色空間変換条件と色補正条件とが含まれ、前記反映画像表示領域は、前記設定された色空間変換条件を反映する第１の反映画像表示領域と、前記設定された色補正条件を反映する第２の反映画像表示領域とを含んでも良い。かかる場合には、原画像と、色空間変換済みの画像と、色補正済みの画像とを対比観察することができる。なお、第２の反映画像表示領域には、色空間変換済みの画像に対して色補正を施した画像が表示されても良い。
【００１９】
本発明の第３の態様に係る画像ファイル生成プログラムはさらに、前記設定された画像処理条件を反映した前記画像データを、前記設定された画像処理条件の表示と共に印刷する機能をコンピュータによって実現させても良い。かかる場合には、設定された画像処理制御情報の効果を印刷結果に基づいて確認することができ、画像処理条件をより適切に設定することができる。
【００２０】
本発明の第４の態様は、画像ファイル生成プログラムを提供する。本発明の第４の態様に係る画像ファイル生成プログラムは、生成された撮像装置の機種情報、および生成時における撮像条件の少なくともいずれか一方を生成条件として含む画像データを入力する機能と、前記生成条件を解析する機能と、前記解析された生成条件に基づいて、画像処理装置における前記画像データに対する画像処理条件を指定する画像処理制御情報を生成する機能と、前記生成された画像処理制御情報と前記画像データとを関連付けて格納する画像ファイルを生成する機能とをコンピュータによって実現させることを特徴とする。
【００２１】
本発明の第４の態様に係る画像ファイル生成プログラムによれば、本発明の第２の態様に係る画像ファイル生成装置と同様の作用効果を得ることができる。また、本発明の第４の態様に係る画像ファイル生成プログラムは、本発明の第２の態様に係る画像ファイル生成装置と同様にして種々の態様によって実現され得る。
【図面の簡単な説明】
【００２２】
【図１】本実施例に係る画像ファイル生成装置を含む画像ファイル生成システムの一例を示す説明図である。
【図２】Exifファイルフォーマットに従う、本実施例にて生成される画像ファイルの内部構成の一例を概念的に示す説明図である。
【図３】本実施例において生成される画像ファイルＧＦのMakernoteデータ格納領域１１３のデータ構造を示す説明図である。
【図４】本実施例において生成される画像ファイルＧＦのMakernoteデータ格納領域１１３内に定義されているPrintMatchingデータ格納領域１１４を示す説明図である。
【図５】パーソナルコンピュータＰＣにて実行される画像ファイル生成処理の処理ルーチンを示すフローチャートである。
【図６】画像ファイル生成処理の中の画像処理設定処理の処理ルーチンを示すフローチャートである。
【図７】原画像ファイルを開いた際に、表示装置２３０の表示画面上に現れる画像表示画面の例を示す説明図である。
【図８】本実施例に従う画像ファイル生成処理において、色空間情報を設定する際に表示装置２３０の表示画面上に現れる設定画面の例を示す説明図である。
【図９】本実施例に従う画像ファイル生成処理において、色補正情報を設定する際に表示装置２３０の表示画面上に現れる設定画面の例を示す説明図である。
【図１０】補正モード、各パラメータ、補正モードを指定する数値の組み合わせの一例を示す説明図である。
【図１１】本実施例に従う画像ファイルを用いて画像処理可能な画像処理制御装置における画像処理の流れを示すブロック図である。
【発明を実施するための形態】
【００２３】
以下、本発明に係る画像ファイル生成装置について以下の順序にて図面を参照しつつ、実施例に基づいて説明する。
Ａ．画像ファイル生成装置を含む画像ファイル生成システムの構成：
Ｂ．画像ファイルの構成：
Ｃ．画像ファイル生成処理：
Ｄ．その他の実施例：
【００２４】
Ａ．画像ファイル生成装置を含む画像ファイル生成システムの構成：
本実施例に係る画像ファイル生成装置を含む画像ファイル生成システムの構成について図１を参照して説明する。図１は本実施例に係る画像ファイル生成装置を含む画像ファイル生成システムの一例を示す説明図である。
【００２５】
画像ファイル生成システム１０は、画像処理条件を付加すべき画像データを生成する入力装置としてのディジタルスチルカメラ１２、ディジタルスチルカメラ１２にて生成された画像データを用いて後述する画像ファイル生成処理を実行する画像ファイル生成装置としてのパーソナルコンピュータＰＣ、パーソナルコンピュータＰＣにおいて設定された画像処理条件に基づく画像処理結果を確認するための出力装置としてのカラープリンタ３０を備えている。本実施例に係る画像ファイル生成装置において画像ファイルを生成するために用いられ得る画像データ（画像ファイル）は、ディジタルスチルカメラ１２から接続ケーブルＣＶまたはメモリカードＭＣを介して、パーソナルコンピュータＰＣに入力された画像データである。また、本実施例に係る画像ファイル生成装置において用いられ得る画像ファイルを生成するための画像データは、図示しないネットワーク等を介して、予めパーソナルコンピュータＰＣの記憶装置、例えば、ハードディスクに格納されている画像データである。
【００２６】
画像ファイル生成装置としては、パーソナルコンピュータＰＣの他に、例えば、画像ファイル生成機能を備えるスタンドアローン型のプリンタも用いられ得る。また、出力装置としては、プリンタ３０の他に、ＣＲＴディスプレイ、ＬＣＤディスプレイ等の表示装置、プロジェクタ等が用いられ得る。以下の説明では、パーソナルコンピュータＰＣと接続されて用いられるカラープリンタ３０を出力装置として用いるものとする。
【００２７】
パーソナルコンピュータＰＣは、一般的に用いられているタイプのコンピュータであり、本発明に係る画像ファイル生成プログラムを実行するＣＰＵ２００、ＣＰＵ２００における演算結果、画像データ等を一時的に格納するＲＡＭ２１０、画像ファイル生成プログラムを格納するハードディスクドライブ（ＨＤＤ）２２０、ＣＰＵ２００における演算結果、画像データ等を表示するための表示装置２３０、コマンド、数値等を入力するためのキーボード、マウスといた入力装置２４０を備えている。パーソナルコンピュータＰＣは、メモリカードＭＣを装着するためのカードスロット２５０、ディジタルスチルカメラ１２等からの接続ケーブルＣＶを接続するための入出力端子２５５を備えている。
【００２８】
パーソナルコンピュータＰＣにおいて実行される画像ファイル生成処理は、表示装置２３０の表示画面上に表示されるグラフィカルユーザインターフェース（ＧＵＩ）を介して視覚的に実行される。
【００２９】
ディジタルスチルカメラ１２は、ＣＣＤや光電子倍増管を用いて光の情報をアナログ電気信号に変換し、得られたアナログ電気信号をＡ／Ｄコンバータを用いてディジタル信号化することによりディジタルな画像データを生成するカメラである。生成されたディジタル画像データは、通常、記憶装置としてのメモリカードＭＣに保存される。ディジタルスチルカメラ１２における画像データの保存形式としては、ＪＰＥＧ形式が一般的であるが、この他にもＴＩＦＦ形式、ＧＩＦ形式、ＢＭＰ形式、ＲＡＷデータ形式等の保存形式が用いられ得る。
【００３０】
ディジタルスチルカメラ１２において生成された画像データは、通常、ディジタルスチルカメラ用の画像ファイルフォーマット規格（Exif）に従ったデータ構造を有している。Exifファイルの仕様は、電子情報技術産業協会（ＪＥＩＴＡ）によって定められている。
【００３１】
Ｂ．画像ファイルの構成：
図２を参照して、本実施例に係る画像ファイル生成装置によって生成される画像ファイルの概略構成について説明する。なお、本実施例中におけるファイルの構造、データの構造、格納領域といった用語は、ファイルまたはデータ等が記憶装置内に格納された状態におけるファイルまたはデータのイメージを意味するものである。図２はExifファイルフォーマットに従う、本実施例にて生成される画像ファイルの内部構成の一例を概念的に示す説明図である。
【００３２】
図２に示すように、Exifファイルフォーマットに従う画像ファイルＧＦは、ＪＰＥＧ形式の画像データを格納するＪＰＥＧ画像データ格納領域１１１と、格納されているＪＰＥＧ画像データに関する各種情報を格納する付属情報格納領域１１２とを備えている。付属情報格納領域１１２には、撮影日時、露出、シャッター速度等といったＪＰＥＧ画像の撮影条件に関する撮影時情報、ＪＰＥＧ画像データ格納領域１１１に格納されているＪＰＥＧ画像のサムネイル画像データがＴＩＦＦ形式にて格納されている。さらに、付属情報格納領域１１２は、ＤＳＣ製造者に開放されている未定義領域であるMakernoteデータ格納領域１１３を備えており、本実施例における画像ファイル生成処理において付加される画像処理制御情報ＣＩは、Makernoteデータ格納領域１１３に格納される。すなわち、本実施例において生成される画像ファイルＧＦは、Makernoteデータ格納領域１１３に画像処理制御情報ＣＩを備える点で、通常のExif形式の画像ファイルと相違する。なお、当業者にとって周知であるように、Exif形式のファイルでは、各データを特定するためにタグが用いられており、Makernoteデータ格納領域１１３に格納されているデータに対してはタグ名としてMakernoteが割り当てられ、Makernoteタグと呼ばれている。
【００３３】
Makernoteデータ格納領域１１３の詳細なデータ構造について図３および図４を参照して説明する。図３は本実施例において生成される画像ファイルＧＦのMakernoteデータ格納領域１１３のデータ構造を示す説明図である。図４は本実施例において生成される画像ファイルＧＦのMakernoteデータ格納領域１１３内に定義されているPrintMatchingデータ格納領域１１４を示す説明図である。
【００３４】
本実施例に係る画像ファイルＧＦのMakernoteデータ格納領域１１３（画像処理制御データ格納領域）もまた、タグによって格納されているデータを識別できる構成を備えており、画像処理制御情報ＣＩにはPrintMatchingのタグが割り当てられている。Makernoteデータ格納領域１１３の各タグは、Makernoteデータ格納領域１１３のトップアドレスからのオフセット値でポインタにより指定される。Makernoteデータ格納領域１１３には、トップアドレスにメーカー名（６バイト）、続いて予約領域（２バイト）、ローカルタグのエントリ数（２バイト）、各ローカルタグオフセット（１２バイト）の情報が格納されている。メーカー名の後には、文字終端列を示す00x0の終端コードが付されている。
【００３５】
PrintMatchingデータ格納領域１１４（画像処理制御パラメータ格納部）には、PrintMatchingパラメータが格納されていることを示すPrintMatching識別子、指定されているパラメータ数を示すパラメータ指定数、予めパラメータ毎に割り振られているパラメータ番号を指定（識別）する値が格納されるパラメータ番号、指定されたパラメータ番号のパラメータの設定値が格納されているパラメータ設定値の情報が格納されている。パラメータ番号は、例えば、２バイトの領域に格納される情報であり、パラメータ設定値は、４バイトの領域に格納される情報である。出力装置側では、このPrintMatchingタグを指標として画像処理制御情報ＣＩ（各パラメータ値）を取得することができる。
【００３６】
なお、本実施例に係る画像ファイル生成装置において用いられ得る画像ファイルは、Exif画像ファイルＥＧＦに限られず、ディジタルビデオカメラ、スキャナ等の入力装置によっても生成された画像ファイルをも用いることができる。
【００３７】
Ｃ．画像ファイル生成処理：
本実施例に係る画像ファイル生成装置（パーソナルコンピュータＰＣ）にて実行される画像ファイル生成処理について図５〜図９を参照して説明する。図５はパーソナルコンピュータＰＣにて実行される画像ファイル生成処理の処理ルーチンを示すフローチャートである。図６は画像ファイル生成処理の中の画像処理設定処理の処理ルーチンを示すフローチャートである。図７は原画像ファイルを開いた際に、表示装置２３０の表示画面上に現れる画像表示画面の例を示す説明図である。図８は本実施例に従う画像ファイル生成処理において、色空間情報を設定する際に表示装置２３０の表示画面上に現れる設定画面の例を示す説明図である。図９は本実施例に従う画像ファイル生成処理において、色補正情報を設定する際に表示装置２３０の表示画面上に現れる設定画面の例を示す説明図である。
【００３８】
本処理ルーチンは、入力装置２４０を介して実行要求がなされることにより開始される。なお、本処理ルーチンでは、説明を簡単にするため、処理対象の画像データはＪＰＥＧ画像データであるものとする。ＣＰＵ２００は、入力装置２４０を介して任意のＪＰＥＧ画像データが選択されると、選択されたＪＰＥＧ画像データをＲＧＢ画像データに変換して、図６に示すように３つの画像を含む基本ダイアログ４０を表示装置２３０上に表示する（ステップＳ１００）。表示装置２３０が表示可能な画像データはＲＧＢ画像データであるのに対して、ＪＰＥＧ画像データは、通常、ＹＣｂＣｒ色空間で表される画像データであるため、画像データの色空間をＹＣｂＣｒ色空間からＲＧＢ色空間に変換するのである。
【００３９】
基本ダイアログ４０は、オリジナル画像ＯＧを表示する原画像表示領域４１、色空間変換処理後の色変換済画像ＣＳを表示する色空間変換画像表示領域４２、色補正処理後の色補正済画像ＣＥを表示する色補正画像表示領域４３を備える表示態様を有している。このような表示態様を採ることにより、オリジナル画像に対する、色空間変換処理、並びに色補正処理の効果を容易に確認することができる。なお、画像データを開いた初期状態では、いずれの表示領域４１、４２、４３においても、オリジナル画像ＯＧが表示されている。
【００４０】
ＣＰＵ２００は、色空間および色補正の設定を行うための画像処理設定処理の要求がなされたか否かを判定する（ステップＳ１１０）。ＣＰＵ２００は、例えば、入力装置２４０を介して、ツールバー上の「画像処理設定」ボタン４４（図６参照）がクリックされた場合には、画像処理設定処理の要求が発生したものと判定する。ＣＰＵ２００は、画像処理設定処理の要求がなされたと判定した場合には（ステップＳ１１０：Ｙｅｓ）、画像処理設定処理を実行する（ステップＳ１２０）。ＣＰＵ２００は、画像処理設定処理の要求がなされなかったと判定した場合には（ステップＳ１１０：Ｎｏ）、待機する。
【００４１】
図６〜図９を参照して、画像処理設定処理について説明する。画像処理設定処理は、図８および図９に示す画像処理設定ダイアログ５０を表示させて行われる。画像処理設定ダイアログ５０は、ダイアログ５０上に表示されている「色空間」５０１のタブを入力装置２４０によってクリックすることによって、色空間設定項目サブダイアログ５１を表示し（図８の表示状態）、ダイアログ５０上に表示されている「色補正」５０２のタブを入力装置２４０によってクリックすることによって、色補正設定項目サブダイアログ５２を表示する（図９の表示状態）。なお、本実施例では、画像処理設定ボタン４４がクリックされた場合には、先ず、色空間設定項目サブダイアログ５１がダイアログ５０上に表示される。
【００４２】
図８、図９に示すダイアログ５０の左側には、オリジナルプレビュー画像ＰＯＧを表示するオリジナル画像表示領域５０３、色空間変換処理を反映した色空間変換済プレビュー画像ＰＣＳを表示する色変換画像表示領域５０４、および色補正処理を反映した色補正済プレビュー画像ＰＣＥを表示する色補正画像表示領域５０５が区画形成されている。
【００４３】
ＣＰＵ２００は、色空間設定要求がなされたか否かを判定する（ステップＳ１２１０）。既述のように、本実施例では、画像処理設定ボタン４４がクリックされた場合には、先ず、色空間設定項目サブダイアログ５１がダイアログ５０上に表示されるので、色補正タブ５０２がクリックされない限り、ＣＰＵ２００は色空間設定要求がなされたものと判定する。ＣＰＵ２００は、色空間設定要求がなされたと判定した場合には（ステップＳ１２１０：Ｙｅｓ）、色空間設定処理を実行する（ステップＳ１２２０）。一方、色空間設定要求がなされなかった、すなわち、色補正設定要求がなされたと判定した場合には（ステップＳ１２１０：Ｎｏ）、ＣＰＵ２００は、後述する色補正設定処理（ステップＳ１２５０）を実行する。
【００４４】
色空間設定項目サブダイアログ５１は、正のＲＧＢ画像データに対するガンマ補正処理に用いるべきガンマ値を設定するガンマ値設定項５１１、負のＲＧＢ画像データに対するガンマ補正に用いるべきマイナスガンマ値を設定するマイナスガンマ値設定項５１２、負のＲＧＢ画像データをクリッピングすることなく利用する（有効とする）か否かの指定を行う負値処理設定項５１３、色空間変換に用いる色変換マトリクスのマトリクス値を設定するマトリクス設定項５１４を有している。色空間設定処理では、これらの設定項に、各パラメータ値を、直接数値を入力することにより、あるいは、数値選択を行うことにより実行される。
【００４５】
ＣＰＵ２００は、色空間設定画像のプレビュー要求が発生するまで待機する（ステップＳ１２３０：Ｎｏ）。ＣＰＵ２００は、色空間設定項目サブダイアログ５１に表示されているプレビューボタン５１０が入力装置２４０によってクリックされると、プレビュー要求が発生したものと判定する。ＣＰＵ２００は、色空間設定画像のプレビュー要求の発生を検出すると（ステップＳ１２３０：Ｙｅｓ）、設定された色空間パラメータ値を反映した画像を、色変換画像表示領域５０４、および色補正画像表示領域５０５に表示する（ステップＳ１２４０）。本実施例では、プレビュー要求の入力が、設定されたパラメータ値の適用（確定）を意味する。なお、本実施例では、色空間パラメータ値を反映する際には、設定されたパラメータ値によって、オリジナルの画像データの値そのものは変更されず、オリジナルの画像データの値を入力値として用い、かかる入力値に対して設定されたパラメータ値を適用することによって出力値を得て、色空間パラメータ値が反映された表示画像を表示する。
【００４６】
色補正タブ５０２がクリックされると、ＣＰＵ２００は、色補正タブ５０２の色補正設定処理を実行する（ステップＳ１２５０）。ＣＰＵ２００は、色補正タブ５０２のクリックを検出すると、色補正設定項目サブダイアログ５２をダイアログ５０上に表示させる。色補正設定項目サブダイアログ５２は、自動補正設定項５２１、手動補正設定項５２２、設定値一覧表示項５２３を有している。色補正設定処理では、シャドウポイント、ハイライトポイント、コントラスト、明るさ、ＲＧＢカラーバランス、ＲＧＢオフセット量、彩度、適用強度、記憶色といったパラメータの値が設定される。これら各パラメータの設定値は、各撮影条件（撮影シーン）に最適化された補正モードを選択して自動的に、あるいは、設定項目を任意に選択して手動で設定される。
【００４７】
補正モードには、例えば、図１０に示すような各モードがある。図１０は、補正モード、各パラメータ、補正モードを指定する数値の組み合わせの一例を示す説明図である。各補正モードに対するコントラスト、明るさといった項目は、自動補正の結果として得られる画質の状態をわかりやすく示しており、選択された補正モードを実現するために、各項目に対して単数、または、複数のパラメータ値が設定される。補正モード１は、例えば、標準的な撮影条件（生成条件）に対する色補正に適し、補正モード２は、例えば、人物撮影の撮影条件に対する色補正に適し、補正モード３は、例えば、風景撮影の撮影条件に対する色補正に適し、補正モード４は、例えば、夕景撮影の撮影条件に対する色補正に適し、補正モード５は、例えば、夜景撮影の撮影条件に対する色補正に適し、補正モード６は、例えば、花を撮影した撮影条件に対する色補正に適する。補正モード７は、例えば、マクロ的な撮影条件に対する補正に適し、補正モード８は、例えば、スポーツをしている人物を撮影した撮影条件に対する補正に適し、補正モード９は、例えば、逆光下での撮影条件に対する補正に適し、補正モード１０は、例えば、紅葉を撮影した撮影条件に対する補正に適し、補正モード１１は、例えば、記念撮影を撮影した撮影条件に対する補正に適する。
【００４８】
補正モードを選択する自動補正の設定は、自動補正設定項５２１を介して実行される。自動補正時には、設定された各パラメータ値の適用レベルを設定することもできる。任意のパラメータ値の手動設定は、手動補正設定項５２２を介して実行され、補正モードにより選択されたパラメータの値を変更するために、あるいは、補正モードを利用することなく任意のパラメータに対して所望のパラメータ値を設定するために実行される。こうして設定された各パラメータの設定値は、設定値一覧表示項５２３に表示される。
【００４９】
補正モードが選択された場合、任意のパラメータ値が設定された場合には、ＣＰＵ２００は、その都度、設定された色補正パラメータ値を反映した画像を、色補正画像表示領域５０５に表示する（ステップＳ１２６０）。ＣＰＵ２００は、色補正の設定が終了するまてステップＳ１２５０〜ステップＳ１２６０を繰り返し実行する（ステップＳ１２７０：Ｎｏ）。すなわち、ＣＰＵ２００は、色補正パラメータ値が変更される毎に、色補正画像表示領域５０５に表示されている画像を再描画する。なお、色補正パラメータ値を反映する際にも、設定されたパラメータ値によって、オリジナルの画像データの値そのものは変更されず、オリジナルの画像データの値を入力値として用い、かかる入力値に対して設定された色空間パラメータ値を適用することによって色空間画像を得て、次に、色空間画像のデータ値を入力値として用い、色補正パラメータ値を適用することによって色補正画像を表示する。
【００５０】
ＣＰＵ２００は、色補正の設定の終了、すなわち、画像処理設定処理の終了を検出すると（ステップＳ１２７０：Ｙｅｓ）、画像処理設定ダイアログ５０を閉じて、本処理ルーチンを終了して、図５に示す処理ルーチンに戻る。ＣＰＵ２００は、画像処理設定ダイアログ５０に表示されている実行ボタン５０６が入力装置２４０によってクリックされると、色補正の設定の終了を検出する。
【００５１】
図５に戻って説明を続けると、ＣＰＵ２００は、画像処理設定処理にて設定された各パラメータ値を反映して、色空間変換画像表示領域４２、および色補正画像表示領域４３の画像を再描写し、基本ダイアログ４０を表示装置２０上に再表示する（ステップＳ１３０）。ＣＰＵ２００は、画像処理設定処理にて設定された各パラメータ値の組み合わせを１つの画像処理条件（画像処理条件ファイル）としてＨＤＤ２２０に格納する。格納に際しては、任意のファイル名を新規に付与したり、既存のファイル名を利用して既存の画像処理条件に上書きするようにしても良い。
【００５２】
ＣＰＵ２００は、画像ファイルＧＦの生成要求が発生したか否かを判定する（ステップＳ１５０）。画像ファイルＧＦの生成要求は、例えば、基本ダイアログ４０のツールバー上に表示されるファイル保存コマンド４５が入力装置２４０を介してクリックされると発生する。ＣＰＵ２００は、画像ファイルＧＦの生成要求が発生したと判定した場合には（ステップＳ１５０：Ｙｅｓ）、オリジナルの画像データと設定された画像処理条件とを関連付けて画像ファイルＧＦを生成する（ステップＳ１６０）。より具体的には、図２ないし図４を参照して説明したように、オリジナル画像データ（画像ファイル）のMakernote格納領域に１１３に、画像処理条件を画像処理制御情報ＣＩとして書き込む。したがって、画像データと画像処理制御情報ＣＩとは、相互に関連付けられて１つの画像ファイルＧＦ内に含まれる。
【００５３】
ＣＰＵ２００は、画像ファイルＧＦの生成要求が発生しなかったと判定した場合には（ステップＳ１５０：Ｎｏ）、画像ファイルＧＦを生成しない。ＣＰＵ２００は、印刷要求が発生したか否かを判定する（ステップＳ１７０）。本実施例では、パーソナルコンピュータＰＣはプリンタ３０と接続されているのて、画像処理設定処理によって設定された画像処理条件を反映した結果を、プリンタ３０からの出力画像によって確認することができる。
【００５４】
ＣＰＵ２００は、印刷要求が発生したと判定した場合には（ステップＳ１７０：Ｙｅｓ）、印刷処理を実行して（ステップＳ１８０）、本処理ルーチンを終了する。印刷要求は、例えば、基本ダイアログ４０のツールバー上に表示される印刷コマンド４７が入力装置２４０を介してクリックされると発生する。ＣＰＵ２００は、印刷要求が発生したと判定した場合には（ステップＳ１７０：Ｎｏ）、本処理ルーチンを終了する。
【００５５】
印刷処理に際しては、オリジナル画像、色空間変換済画像、色補正済画像の３画像を１枚の用紙に印刷することができる。また、色空間変換済画像、および画像補整済画像については、両画像の印刷場所の近傍に設定されたパラメータ値を印刷するようにできる。
【００５６】
ＣＰＵ２００は、印刷処理を実行する際には、設定された画像処理条件を反映した画像データを、例えば、ＨＤＤ２２０、ＲＡＭ２１０上のワークスペースにドットマトリクス展開し、プリンタ３０に対しては、ラスタデータとして送出する。
【００５７】
ここで、本実施例に係る画像ファイル生成装置において生成された画像ファイルＧＦから画像処理制御情報ＣＩを解釈して画像処理を実行可能な画像処理制御装置、例えば、パーソナルコンピュータＰＣ、または、プリンタ３０における画像処理、印刷処理について、画像ファイルＧＦに含まれる画像処理制御情報ＣＩがどのように用いられるかを中心に図１１を参照して簡単に説明する。図１１は本実施例に従う画像ファイルを用いて画像処理可能な画像処理装置における画像処理の流れを示すブロック図である。
【００５８】
画像処理装置７０は、画像ファイルＧＦを取り込むと、画像データの色空間をＹＣｂＣｒ色空間からＲＧＢ色空間に変換する。画像処理装置７０は、画像処理制御情報ＣＩ（色空間パラメータ）の中で、負値処理パラメータを参照して、ＹＣｂＣｒデータから変換されたＲＧＢデータに含まれるマイナスデータを用いて後段の処理を行うか否かを決定する。負値処理パラメータが負値有効を示している場合には、マイナスデータをクリッピングすることなく、そのまま有効値として用い、負値処理パラメータが負値無効を示している場合には、マイナスデータを、例えば、ｓＲＧＢ色空間の表色域にクリッピングしてする。なお、マイナスデータは、所定の色空間、例えば、ｓＲＧＢ色空間の表色域外のデータすべてを意味し、従って、ｓＲＧＢ色空間が０〜２５５の値で定義される場合には、ｓＲＧＢ色空間の表色域を超える２５６以上の正のデータも含まれる。
【００５９】
画像処理装置７０は、画像処理制御情報ＣＩ（色空間パラメータ）の中からガンマ値、マイナスガンマ値（負値有効の場合）、マトリクス値を参照して、ＲＧＢデータに対しガンマ補正処理、色空間変換処理を実行する。色空間変換処理は、３×３マトリクス（Ｍ）を用いて、ＲＧＢデータをＸＹＺデータに変換し、その後、再度、他のマトリクスの逆マトリクスを用いてＸＹＺデータをＲＧＢデータに変換することによって実行される。
【００６０】
画像処理装置７０は、画像処理制御情報ＣＩの中から色補正パラメータを参照して、色空間変換処理が実行された画像データに対して、画像調整処理を実行する。画像調整処理に当たっては、補正モードを解釈することにより、あるいは、直接指定されたパラメータ値を用いて、画像データの入力値に対する出力値が調整される。
【００６１】
画像処理装置７０は、画像調整が施された画像データに対して印刷処理を実行する。印刷処理では、ハーフトーン処理、ＲＧＢデータをＣＭＹＫデータへ変換する処理が実行される。画像処理装置７０は、最後に、得られた画像データをラスタデータとしてプリンタに対して出力する。
【００６２】
以上説明したように本実施例に係る画像ファイル生成装置によれば、画像処理時における画像処理条件を指定する画像処理制御情報ＣＩを有していない画像ファイルに対して、画像処理制御情報ＣＩを付加することができる。したがって、画像処理制御情報ＣＩを解釈して画像処理を実行可能な画像処理装置において、所望の画像処理を実行させることができる画像ファイルＧＦを生成することができる。
【００６３】
本実施例に係る画像ファイル生成装置は、画像ファイルＧＦに付加すべき画像処理制御情報ＣＩ（画像処理条件）を設定するに際して、オリジナル画像ＯＧ、色変換済画像ＣＳ、および色補正済画像ＣＥ、さらに、オリジナルプレビュー画像ＰＯＧ、色変換済プレビュー画像ＰＣＳ、および色補正済プレビュー画像ＰＣＥを同時に表示するので、パラメータ値の変更に伴う画像処理効果を参考にしながら、色空間パラメータ、色補正パラメータの値を設定することができる。
【００６４】
その他の実施例：
上記実施例では、処理対象の画像ファイルＧＦが有しているExif情報を考慮することなく、各パラメータ値を決定し、画像処理制御情報ＣＩを設定したが、処理対象の画像ファイルＧＦからExif情報を読み込み、解析し、解析したExif情報に基づいて画像処理制御情報ＣＩを設定しても良い。例えば、Exif情報に含まれる各パラメータの値と、画像処理制御情報ＣＩにて設定される各パラメータの値とを予め対応付けて記憶装置に格納しておき、読み込んだExif情報を解析して、適切な色空間パラメータの値、および色補正パラメータの値を記憶装置から取得して、あるいは、随時生成して自動的に設定するようにしても良い。かかる場合には、パーソナルコンピュータＰＣを経由することなく、スタンドアローン型のプリンタにおいても、画像ファイルＧＦに対して画像処理制御情報ＣＩを付加することができる。
【００６５】
あるいは、ディジタルスチルカメラ１２側にて設定された撮影モードがExifデータとして記録されている場合には、記録されている撮影モードを解析して得た撮影モードに適した補正モードがＣＰＵ２００によって選択されるようにしても良い。かかる場合には、撮影モードに応じた画像処理制御情報ＣＩを生成することができるので、画像データの再現性をより撮影者の意図に近づけることができる画像ファイルを生成することができる。
【００６６】
また、Exif情報に基づいて設定した色空間パラメータの値、および色補正パラメータの値を反映した画像を表示し、表示された画像をベースにして、さらに、色空間パラメータの値、および色補正パラメータの値を変更するようにしても良い。かかる場合には、Exif情報を参酌することによって、大まかな画像処理条件が設定されるので、細かな設定だけを調整することによって、所望の効果を得られる画像処理条件を容易に得ることができる。
【００６７】
さらに、プリンタを始めとする画像処理装置における画像処理条件にとどまらず、プリンタ３０の印刷条件（プリンタドライバのパラメータ値）を設定しても良い。かかる場合には、プリンタ３０は、出力制御情報ＣＩに基づいて設定されるので、ユーザはプリンタドライバの設定画面において印刷媒体の種類、解像度、印刷方向といった印刷条件を設定する必要がない。また、ユーザによって画像データに対して不適切な印刷条件が設定されるおそれがなくなり、不適切な印刷条件の設定に起因する印刷品質の低下を防止することができる。したがって、ユーザは、画像ファイルの生成者が意図する印刷結果をより確実に得ることができる。
【００６８】
また、上記各実施例では、画像ファイルＧＦ内に１つの出力装置に対する画像処理制御情報ＣＩを付加する例を用いて説明したが、画像ファイルＧＦ内に異なる出力特性を有する複数の出力装置に対する出力制御情報を格納するようにしても良い。かかる場合には、それぞれの出力装置が自己を指定するPrintMatchingデータを１つの画像ファイルＧＦから識別して取得する機能（構成要素）を備えることにより、取得したPrintMatchingデータに基づいて画像データＧＤの画像処理および画像出力制御を実行することができる。したがって、複数の出力形態において、適切な画像出力状態を制御することができる。
【００６９】
以上、実施例に基づき本発明に係る画像ファイル生成装置を説明してきたが、上記した発明の実施の形態は、本発明の理解を容易にするためのものであり、本発明を限定するものではない。本発明は、その趣旨並びに特許請求の範囲を逸脱することなく、変更、改良され得ると共に、本発明にはその等価物が含まれることはもちろんである。
【００７０】
上記実施例では、色空間パラメータとしてガンマ値、および色空間マトリクス、負値処理といったパラメータを用い、色補正パラメータとして、シャドゥポイント、ハイライトポイント、コントラストといったパラメータを用いているが、これら設定パラメータにどのようなパラメータを用いるかは任意の決定事項である。
【００７１】
また、図１０の表に例示した各パラメータの値は、あくまでも例示に過ぎず、この値によって本願に係る発明が制限されることはない。
【００７２】
上記実施例では、撮像装置としてディジタルスチルカメラ１２を用いて説明したが、この他にもスキャナ、ディジタルビデオカメラ等が用いられ得る。また、出力装置としては、プリンタの他、液晶ディスプレイ、ＣＲＴディスプレイ、プロジェクタ等が用いられ得る。
【００７３】
上記実施例では、画像ファイルＧＦの具体例としてExif形式のファイルを例にとって説明したが、本発明に係る画像ファイル生成装置において用いられ得る画像ファイルの形式はこれに限られない。すなわち、出力装置によって出力されるべき画像データと、画像処理装置における画像データの画像処理条件を指定する画像処理制御情報ＣＩとを含むことができるファイルであれば良い。このようなファイルであれば、画像ファイル生成装置において画像データと画像処理制御情報ＣＩとを含む画像ファイルを生成することができるからである。
【００７４】
なお、画像データと出力装置制御情報ＣＩとが含まれる画像ファイルＧＦには、画像処理制御情報ＣＩとを関連付ける関連付けデータを生成し、画像データと画像処理制御情報ＣＩとをそれぞれ独立したファイルに格納し、画像処理の際に関連付けデータを参照して画像データと画像処理制御情報ＣＩとを関連付け可能なファイルも含まれる。かかる場合には、画像データと画像処理制御情報ＣＩとが別ファイルに格納されているものの、画像処理制御情報ＣＩを利用する画像処理の時点では、画像データおよび画像処理制御情報ＣＩとが一体不可分の関係にあり、実質的に同一のファイルに格納されている場合と同様に機能するからである。すなわち、少なくとも画像処理の時点において、画像データと画像処理制御情報ＣＩとが関連付けられて用いられる態様は、本実施例における画像ファイルＧＦに含まれる。
【符号の説明】
【００７５】
１０…画像ファイル生成システム  １２…ディジタルスチルカメラ  ２０…表示装置  ２００…ＣＰＵ  ２１０…ＲＡＭ  ２２０…ＨＤＤ  ２４０…入力装置  ２５０…スロット  ２５５…入出力端子  ＧＦ…画像ファイル（Exifファイル）  １１１…ＪＰＥＧ画像データ格納領域  １１２…付属情報格納領域  １１３…Makernote格納領域  １１４…PrintPerfectタグ  ３０…プリンタ  ＣＶ…接続ケーブル  ＭＣ…メモリカード  ＰＣ…パーソナルコンピュータ。
【図１】
2010104011.tif 000003
【図２】
2010104011.tif 000004
【図３】
2010104011.tif 000005
【図４】
2010104011.tif 000006
【図５】
2010104011.tif 000007
【図６】
2010104011.tif 000008
【図７】
2010104011.tif 000009
【図８】
2010104011.tif 000010
【図９】
2010104011.tif 000011
【図１０】
2010104011.tif 000012
【図１１】
2010104011.tif 000013
【手続補正書】
【提出日】平成21年12月16日(2009.12.16)
【手続補正１】
【補正対象書類名】特許請求の範囲
【補正対象項目名】全文
【補正方法】変更
【補正の内容】
【特許請求の範囲】
【請求項１】
画像データが表す第１の画像を表示する第１画像表示手段と、
画像処理装置における前記画像データに対する画像処理条件を設定させる画像処理条件設定手段と、
前記画像データに対して、前記画像処理条件を反映した第２の画像を表示する第２画像表示手段と、
前記画像処理条件に基づいて、前記画像処理装置における前記画像データに対する画像処理条件を指定する画像処理制御情報を生成する画像処理制御情報生成手段と、
前記画像処理制御情報および前記画像データを関連付けて格納する画像ファイルを生成する画像ファイル生成手段と、
を備える画像ファイル生成装置。